(57)【要約】      （修正有）【課題】静電容量式タッチパネルを操作するにあたり、人の指と同様に画面の拡大縮小を自在に操作できるタッチパネル入力用ストラップを提供する。【解決手段】タッチパネル入力用ストラップでタッチパネル４との接点が２点であり、材質が円板状の導電性ゴムからなる。人が把持する本体３にはタッチパネル４に接する部分として突起部１と突起部２が接続されている。前記突起部１と前記突起部２の各先端には金属製の端子１ａ、２ａが付設されており、この端子がタッチパネル４に接することで人体からの静電気がタッチパネル４に伝わり情報機器が操作入力される。【選択図】図１
0003175780.tif 000002
【実用新案登録請求の範囲】
【請求項１】
静電容量式タッチパネルを操作する器具であって、タッチパネルに２点以上の接点を付与可能であり、且つ、該２点以上の接点間隔が任意に可動可能であることを特徴とするタッチパネル入力用ストラップ。
【請求項２】
静電容量式タッチパネルへの接点が２点であり、可橈性の導電性プラスチック材からなる請求項１に記載のタッチパネル入力用ストラップ。
【考案の詳細な説明】
【技術分野】
【０００１】
本考案は、静電容量式タッチパネルを備えた情報機器を操作入力するタッチパネル入力用ストラップに関する。
【背景技術】
【０００２】
近年、パソコンや携帯電話等の電子機器表示部には、タッチパネルが多く用いられている。中でも、導電膜を利用した静電容量式タッチパネルは通称アイフォン等の携帯電話のタッチパネルの主流となっている。
これらのタッチパネルの操作には、専用のタッチペンや人の指による操作が可能である。
殊に、人の指による操作では、単に指で触れるのみでなく２本の指の間隔を変化させることで画面の拡大縮小を操作する等の機能が付与され、操作の利便性を高くしている。
一方、人の指でタッチパネルに触れると、タッチパネル表面が汚れるという問題があることから、操作専用のタッチペンが開発されている。（特許文献１、２）
これらのタッチペンは、ペンをタッチパネルに接触させることで人体の静電気をタッチパネル面に導電し、操作を可能とするものである。
これらのタッチペンはタッチパネル表面を汚すことなく、細かい操作が可能である反面、タッチパネルとの接点が１点であるために、上記の人の指の間隔を変化させて画面の拡大縮小操作をすることが出来ないという欠点があった。
一方、冬季に手袋を着用したまま指による操作を可能とする目的で、指先に導電性繊維を用いたタッチパネル操作用手袋が提案されている。（特許文献３）
しかし、冬季には常にこの手袋を携帯している必要があり、汎用性に欠けるものであった。
【先行技術文献】
【特許文献】
【０００３】
【特許文献１】特開２０１１−２３３１３７号公報
【特許文献２】特開２０１０−１９１７２６号公報
【特許文献３】実用新案登録第３１６７３２７号公報
【考案の概要】
【考案が解決しようとする課題】
【０００４】
本考案の課題は、静電容量式タッチパネルを操作するにあたり、人の指と同様に画面の拡大縮小を自在に操作できるタッチパネル入力用ストラップを提供することである。
殊に、静電容量式タッチパネルへの接点が２点であり、可橈性の導電性プラスチック材からなるタッチパネル入力用ストラップを提供することである。
【課題を解決するための手段】
【０００５】
即ち、本考案の第１は、静電容量式タッチパネルを操作する器具であって、タッチパネルに２点以上の接点を付与可能であり、且つ、該２点以上の接点間隔が任意に可動可能であることを特徴とするタッチパネル入力用ストラップである。
【０００６】
本考案の第２の考案は、静電容量式タッチパネルへの接点が２点であり、可橈性の導電性プラスチック材からなる上記に記載のタッチパネル入力用ストラップである。
【考案の効果】
【０００７】
本考案は、冬季など冷たい時に汎用の手袋をはめたまま携帯電話などの静電容量式タッチパネルが操作でき、また、画像の拡大縮小も出来る。静電容量式タッチパネルに直接手で触らなく作動出来るため、指による汚れを気にする事なく使用できる。更には、形状や取り付け方によっては、アクセサリー等のストラップとして使用できる利点がある。
【図面の簡単な説明】
【０００８】
【図１】本考案の板状タッチパネル入力用ストラップを示す模式図
【図２】本考案の球状タッチパネル入力用ストラップ先端部を示す模式図
【図３】本考案の棒状タッチパネル入力用ストラップ先端部を示す模式図
【図４】本考案の棒状タッチパネル入力用ストラップ先端部を示す模式図
【考案を実施するための最良の形態】
【０００９】
本考案のタッチパネル入力用ストラップは、静電容量式タッチパネルの操作に用いられる。
タッチパネルとは、近年携帯電話やタブレット型パソコンに応用され、表示と入力の２つの機能を備えており、画像情報を液晶ディスプレイなどで表示すると共に、操作者がその画面に表示された絵やピクトグラムなどの点または領域に手で触れることにより、画面位置の情報を感知して情報信号として出力されるパネルである。
タッチパネルの動作原理には、抵抗膜方式や赤外線方式、電磁誘導方式、静電容量方式など種々の方式があるが、本考案では主に静電容量方式のタッチパネルを対象とする。
【００１０】
本考案のタッチパネル入力器具は、タッチパネルに２点以上の接点を付与可能であり、且つ、該２点以上の接点間隔が任意に可動可能であることが必要である。
タッチパネルへの接点が１点のみの場合には、いわゆる２本以上の指で操作する画面の拡大縮小の操作が困難である。
現在の静電容量式タッチパネルは、未だ３点以上の指で操作する方式は僅少であるが、将来３点以上で操作する方式の場合にも本考案で対応することができる。汎用的には、２点の接点が採用される。
本考案では、２点以上の接点間隔が任意に可動可能であることが必要である。
接点間隔を任意に可動可能とするには、静電容量式タッチパネルの材質を、例えば２点間が開脚可能な２本の金属棒とすることや、可橈性の導電性プラスチック材とすることが好ましい。
【００１１】
可撓性の導電性プラスチック材は、例えばゴムなどにカーボンブラックや金属などの導電性粉体を混入したものや、軟質ビニール材に同様の導電性粉体を混入したもの、更にはプラスチック自体が導電性を有するものから選択されることが好ましい。
汎用的には、可撓性と反発性などの利点から、市販の導電性ゴムなどが採用される。
導電性プラスチック材の導電性は、タッチパネルに人体の静電気を伝播することが可能な導電性があればよい。
より好ましくは、タッチパネルに接する点に金属等の良導電性の接点部品を設けてもよい。
【００１２】
本考案のタッチパネル入力用ストラップの形状は、特に限定されないが、手中で操作することをから、手で２点間の間隔が可動可能な大きさや厚みであることが好ましい。形状は、例えば数ミリの厚みを有する板状であってもよく、また、厚みのある球状であってもよい。
本考案のタッチパネル入力用ストラップは、アイフォンやスマートフォン等の携帯電話用ストラップに用いると、紛失等の心配がなく有用である。
また、種々のキーホルダーとしての利用も可能である。
以下、本考案を図面により説明するが、本考案はこれらの図に限定されるものではない。
【００１３】
図１は、本考案のタッチパネル入力用ストラップでタッチパネル４との接点が２点であり、材質が円板状の導電性ゴムからなる例を示す模式図である。
図１において、３は人が把持する本体であり、この本体にはタッチパネル４に接する部分として突起部１と突起部２が接続されている。１と２の各先端には金属製の端子１ａ、２ａが付設されており、この端子がタッチパネル４に接することで人体からの静電気がタッチパネル４に伝わり情報機器が操作入力される。
【００１４】
図２は、タッチパネル入力用ストラップの先端形状が球状の場合を示す模式図である。
【００１５】
図３は、タッチパネル入力用ストラップ先端の材質が金属製で、棒状本体５の両端に突起部６と突起部７の端子が回転自由に付設されている。この端子がタッチパネル４に接することで情報機器が操作入力される。
【００１６】
図４は、タッチパネル入力用ストラップ先端の材質が金属製で、棒状本体８を軸にして端子９が開脚自在に付設されている。この棒状本体８と端子９がタッチパネル４に接することで情報機器が操作入力される。
【産業上の利用可能性】
【００１７】
本考案はスマートフォンなど、静電容量式タッチパネルに直接指を触れることなく操作が可能であることから、冬季には手袋を着用したまま操作でき、夏季には指による表面の汚れを防ぐことができなど、広範囲の利用が可能である。
【符号の説明】
【００１８】
１      突起部
１ａ    端子
２      突起部
２ａ    端子
３      本体
４      タッチパネル  
５      棒状本体
６      端子
７      端子
８      棒状本体
９      端子
１０    バネ
【図１】
0003175780.tif 000003
【図２】
0003175780.tif 000004
【図３】
0003175780.tif 000005
【図４】
0003175780.tif 000006
【手続補正書】
【提出日】平成24年3月28日(2012.3.28)
【手続補正１】
【補正対象書類名】実用新案登録請求の範囲
【補正対象項目名】全文
【補正方法】変更
【補正の内容】
【実用新案登録請求の範囲】
【請求項１】
静電容量式タッチパネルを操作する器具を備えたタッチパネル入力用ストラップであって、該器具が有する２個以上の導電性突起部を用いてタッチパネルに２点以上の接点を付与可能であり、且つ、該器具の２個以上の導電性突起部の間隔を変えるための開脚部を備えたことを特徴とするタッチパネル入力用ストラップ。
【請求項２】
導電性突起部を有する器具の静電容量式タッチパネルへの接点が２点であり、該導電性突起部を有する器具が可橈性の導電性プラスチック材からなる請求項１に記載のタッチパネル入力用ストラップ。  
【手続補正２】
【補正対象書類名】明細書
【補正対象項目名】全文
【補正方法】変更
【補正の内容】
【考案の詳細な説明】
【技術分野】
【０００１】本考案は、静電容量式タッチパネルを備えた情報機器を操作入力するタッチパネル入力用ストラップに関する。
【背景技術】
【０００２】  近年、パソコンや携帯電話等の電子機器表示部には、タッチパネルが多く用いられている。中でも、導電膜を利用した静電容量式タッチパネルは通称アイフォン等の携帯電話のタッチパネルの主流となっている。  これらのタッチパネルの操作には、専用のタッチペンや人の指による操作が可能である。  殊に、人の指による操作では、単に指で触れるのみでなく２本の指の間隔を変化させることで画面の拡大縮小を操作する等の機能が付与され、操作の利便性を高くしている。  一方、人の指でタッチパネルに触れると、タッチパネル表面が汚れるという問題があることから、操作専用のタッチペンが開発されている。（特許文献１、２）  これらのタッチペンは、ペンをタッチパネルに接触させることで人体の静電気をタッチパネル面に導電し、操作を可能とするものである。  これらのタッチペンはタッチパネル表面を汚すことなく、細かい操作が可能である反面、タッチパネルとの接点が１点であるために、上記の人の指の間隔を変化させて画面の拡大縮小操作をすることが出来ないという欠点があった。  一方、冬季に手袋を着用したまま指による操作を可能とする目的で、指先に導電性繊維を用いたタッチパネル操作用手袋が提案されている。（特許文献３）  しかし、冬季には常にこの手袋を携帯している必要があり、汎用性に欠けるものであった。
【先行技術文献】
【特許文献】
【０００３】
【特許文献１】特開２０１１−２３３１３７号公報
【特許文献２】特開２０１０−１９１７２６号公報
【特許文献３】実用新案登録第３１６７３２７号公報
【考案の概要】
【考案が解決しようとする課題】
【０００４】  本考案の課題は、静電容量式タッチパネルを操作するにあたり、人の指と同様に画面の拡大縮小を自在に操作できるタッチパネル入力用ストラップを提供することである。  殊に、静電容量式タッチパネルへの接点が２点であり、可橈性の導電性プラスチック材からなるタッチパネル入力用ストラップを提供することである。
【課題を解決するための手段】
【０００５】  即ち、本考案の第１は、静電容量式タッチパネルを操作する器具を備えたタッチパネル入力用ストラップであって、該器具が有する２個以上の導電性突起部を用いてタッチパネルに２点以上の接点を付与可能であり、且つ、該器具の２個以上の導電性突起部の間隔を変えるための開脚部を備えたことを特徴とするタッチパネル入力用ストラップである。【０００６】本考案の第２の考案は、導電性突起部を有する器具の静電容量式タッチパネルへの接点が２点であり、該導電性突起部を有する器具が可橈性の導電性プラスチック材からなる上記に記載のタッチパネル入力用ストラップである。
【考案の効果】
【０００７】本考案は、冬季など冷たい時に汎用の手袋をはめたまま携帯電話などの静電容量式タッチパネルが操作でき、また、画像の拡大縮小も出来る。静電容量式タッチパネルに直接手で触らなく作動出来るため、指による汚れを気にする事なく使用できる。更には、形状や取り付け方によっては、アクセサリー等のストラップとして使用できる利点がある。
【図面の簡単な説明】
【０００８】
【図１】本考案の板状タッチパネル入力用ストラップを示す模式図
【図２】本考案の球状タッチパネル入力用ストラップ先端部を示す模式図
【図３】本考案の棒状タッチパネル入力用ストラップ先端部を示す模式図
【図４】本考案の棒状タッチパネル入力用ストラップ先端部を示す模式図
【考案を実施するための最良の形態】
【０００９】本考案のタッチパネル入力用ストラップは、静電容量式タッチパネルの操作に用いられる。タッチパネルとは、近年携帯電話やタブレット型パソコンに応用され、表示と入力の２つの機能を備えており、画像情報を液晶ディスプレイなどで表示すると共に、操作者がその画面に表示された絵やピクトグラムなどの点または領域に手で触れることにより、画面位置の情報を感知して情報信号として出力されるパネルである。  タッチパネルの動作原理には、抵抗膜方式や赤外線方式、電磁誘導方式、静電容量方式など種々の方式があるが、本考案では主に静電容量方式のタッチパネルを対象とする。【００１０】本考案のタッチパネル入力器具は、タッチパネルに２点以上の接点を付与可能であり、且つ、該２点以上の接点間隔が任意に可動可能であることが必要である。タッチパネルへの接点が１点のみの場合には、いわゆる２本以上の指で操作する画面の拡大縮小の操作が困難である。現在の静電容量式タッチパネルは、未だ３点以上の指で操作する方式は僅少であるが、将来３点以上で操作する方式の場合にも本考案で対応することができる。汎用的には、２点の接点が採用される。本考案では、２個以上の導電性突起部を用いてタッチパネルに２点以上の接点を付与可能であり、且つ、該器具の２個以上の導電性突起部の間隔を変えるための開脚部を備え、この２点以上の接点間隔が任意に可動可能であることが必要である。接点間隔を任意に可動可能とするには、静電容量式タッチパネルの材質を、例えば２点間が開脚可能な２本の金属棒とすることや、可橈性の導電性プラスチック材とすることが好ましい。【００１１】可撓性の導電性プラスチック材は、例えばゴムなどにカーボンブラックや金属などの導電性粉体を混入したものや、軟質ビニール材に同様の導電性粉体を混入したもの、更にはプラスチック自体が導電性を有するものから選択されることが好ましい。汎用的には、可撓性と反発性などの利点から、市販の導電性ゴムなどが採用される。導電性プラスチック材の導電性は、タッチパネルに人体の静電気を伝播することが可能な導電性があればよい。より好ましくは、タッチパネルに接する点に金属等の良導電性の接点部品を設けてもよい。【００１２】本考案のタッチパネル入力用ストラップの形状は、特に限定されないが、手中で操作することをから、手で２点間の間隔が可動可能な大きさや厚みであることが好ましい。形状は、例えば数ミリの厚みを有する板状であってもよく、また、厚みのある球状であってもよい。本考案のタッチパネル入力用ストラップは、アイフォンやスマートフォン等の携帯電話用ストラップに用いると、紛失等の心配がなく有用である。また、種々のキーホルダーとしての利用も可能である。以下、本考案を図面により説明するが、本考案はこれらの図に限定されるものではない。【００１３】  図１は、本考案のタッチパネル入力用ストラップでタッチパネル４との接点が２点であり、材質が円板状の導電性ゴムからなる例を示す模式図である。  図１において、３は人が把持する本体であり、この本体にはタッチパネル４に接する部分として突起部１と突起部２が接続されている。１と２の各先端には金属製の端子１ａ、２ａが付設されており、この端子がタッチパネル４に接することで人体からの静電気がタッチパネル４に伝わり情報機器が操作入力される。【００１４】  図２は、タッチパネル入力用ストラップの先端形状が球状の場合を示す模式図である。【００１５】  図３は、タッチパネル入力用ストラップ先端の材質が金属製で、棒状本体５の両端に突起部６と突起部７の端子が回転自由に付設されている。この端子がタッチパネル４に接することで情報機器が操作入力される。【００１６】  図４は、タッチパネル入力用ストラップ先端の材質が金属製で、棒状本体８を軸にして端子９が開脚自在に付設されている。この棒状本体８と端子９がタッチパネル４に接することで情報機器が操作入力される。
【産業上の利用可能性】
【００１７】本考案はスマートフォンなど、静電容量式タッチパネルに直接指を触れることなく操作が可能であることから、冬季には手袋を着用したまま操作でき、夏季には指による表面の汚れを防ぐことができなど、広範囲の利用が可能である。
【符号の説明】
【００１８】  １      突起部  １ａ    端子  ２      突起部  ２ａ    端子  ３      本体  ４      タッチパネル    ５      棒状本体  ６      端子  ７      端子  ８      棒状本体  ９      端子  １０    バネ